(57)【特許請求の範囲】
【請求項１】
容器の開口部を形成する部材の上端面に蓋の外周部分を重ねた状態で蓋を容器本体に溶接する方法であって、
蓋の外周部分から部材の上端面に重なる状態で外方に延在するように溶接開先を設け、当該溶接開先の外方側に位置する先端部を蓋の外周側に位置する根本部に対して段差を設けると共にテーパー状に肉薄とし、容器の開口部に溶接開先の先端部の肉厚に相当する深さの補助溝を設け、該補助溝に溶接開先の先端部を埋没させて該先端部の周縁に沿った複数位置を容器に仮溶接することを特徴とする蓋の溶接方法。
【請求項２】
容器の開口部を形成する部材の上端面に蓋の外周部分を重ねた状態で蓋を容器本体に溶接する方法であって、
蓋の外周部分から部材の上端面に重なる状態で外方に延在するように溶接開先を設け、当該溶接開先の外方側に位置する先端部を蓋の外周側に位置する根本部に対して段差を設けると共に平坦状に肉薄とし、容器の開口部に溶接開先の先端部の肉厚に相当する深さの補助溝を設け、該補助溝に溶接開先の先端部を埋没させて該先端部の周縁に沿った複数位置を容器に仮溶接することを特徴とする蓋の溶接方法。
【発明の詳細な説明】
【０００１】
【発明の属する技術分野】
本発明は、蓋の溶接方法に係わり、特に仮溶接時の蓋の浮き上がり防止技術に関する。
【０００２】
【従来の技術】
図２は、従来の容器（密閉容器）及びその蓋の一例を示す図である。この密閉容器Ａは、円筒状の容器本体１の上端が円形の開口部２になっており、該開口部２に設けられた同じく円形のフランジ部３に円盤状の蓋４を溶接することにより内部を密閉するものである。このような密閉容器Ａにおいて蓋４をフランジ部３に緊密に溶接する場合、フランジ部３の内縁に形成された溝５に蓋４を填め合わせて蓋４の周縁に沿って設けられた溶接開先６の下端面６１をフランジ部３の上端面３１と当接状態とし、溶接開先６の先端部６２を仮溶接位置ｐ1→仮溶接位置ｐ2→仮溶接位置ｐ3→仮溶接位置ｐ4の順番でフランジ部３に順次仮溶接する。そして、この仮溶接が終了すると、密閉容器Ａ内を完全に密閉すべく、溶接開先６の先端部６２を全周に亘って本溶接する。
【０００３】
【発明が解決しようとする課題】
ところで、このような蓋４のフランジ部３に対する溶接方法では、仮溶接において最初の仮溶接位置ｐ1を溶接した時点で、当該溶接による溶接部位の収縮によって２点鎖線で示すように蓋４がフランジ部３に対して傾斜し、この結果、仮溶接位置ｐ2がフランジ部３から浮き上がってしまう。すなわち、従来の溶接方法では、仮溶接による蓋４の浮き上がりが原因となって密閉容器Ａ内を良好に密閉することができないという問題点がある。
【０００４】
本発明は、上述する問題点に鑑みてなされたもので、仮溶接における蓋の浮き上がりを防止して容器を良好に密閉することを目的とするものである。
【０００５】
【課題を解決するための手段】
上記目的を達成するために、本発明では、蓋の溶接方法に係わる第１の手段として、容器の開口部を形成する部材の上端面に蓋の外周部分を重ねた状態で蓋を容器本体に溶接する方法であって、蓋の外周部分から部材の上端面に重なる状態で外方に延在するように溶接開先を設け、当該溶接開先の外方側に位置する先端部を蓋の外周側に位置する根本部に対して段差を設けると共にテーパー状に肉薄とし、容器の開口部に溶接開先の先端部の肉厚に相当する深さの補助溝を設け、該補助溝に溶接開先の先端部を埋没させて該先端部の周縁に沿った複数位置を容器に仮溶接するという手段を採用する。
【０００６】
蓋の溶接方法に係わる第２の手段として、容器の開口部を形成する部材の上端面に蓋の外周部分を重ねた状態で蓋を容器本体に溶接する方法であって、蓋の外周部分から部材の上端面に重なる状態で外方に延在するように溶接開先を設け、当該溶接開先の外方側に位置する先端部を蓋の外周側に位置する根本部に対して段差を設けると共に平坦状に肉薄とし、容器の開口部に溶接開先の先端部の肉厚に相当する深さの補助溝を設け、該補助溝に溶接開先の先端部を埋没させて該先端部の周縁に沿った複数位置を容器に仮溶接するという手段を採用する。
【０００９】
【発明の実施の形態】
以下、図面を参照して、本発明に係わる蓋の溶接方法の実施形態について説明する。なお、以下の説明では、図２を用いて既に説明した構成要素については同一符号を付して、その説明を省略する。
【００１０】
図１は、本発明における第１実施形態〜第３実施形態を説明するための要部縦断面図であり、（ａ）は第１実施形態に係わる位置ｐ1における縦断面、（ｂ）は第２実施形態に係わる位置ｐ1における縦断面、また（ｃ）は第３実施形態に係わる位置ｐ1における縦断面をそれぞれ示している。
【００１１】
〔第１実施形態〕
まず、第１実施形態について図１（ａ）を参照して説明すると、本実施形態の蓋４Ａに設けられた溶接開先６Ａは、その先端部６２Ａが根本部６３Ａから所定傾斜でテーパー状に肉薄となるように形成されている。すなわち、この溶接開先６Ａの上面には、所定傾斜のテーパ部６４Ａが先端部６２Ａにかけて形成されており、このようなテーパ部６４Ａを設けることにより先端部６２Ａの肉厚ｄは根本部６３Ａの肉厚よりも薄く設定されている。この図１（ａ）では仮溶接位置ｐ1における断面のみを示しているが、円盤状の蓋４Ａの周縁に沿って設けられた溶接開先６Ａの他の位置の縦断面も当該仮溶接位置ｐ1と同様にテーパー状に形成されている。
【００１２】
このようなテーパ部６４Ａを先端部６２Ａの上面に設けた状態で、仮溶接位置ｐ1において当該先端部６２Ａをフランジ３の上端面３１に仮溶接する場合、先端部６２Ａが肉薄になっている分、従来に比べて溶接電流を低く抑えることが可能であり、この結果従来よりも小さな溶接池が形成されて当該先端部６２Ａとフランジ３の上端面３１とが接合される。したがって、この溶融池が小さい分、溶接開先６Ａの収縮が小さくなるので、従来のような蓋４Ａの浮き上がりを防止することができる。
【００１３】
〔第２実施形態〕
次に、第２実施形態について図１（ｂ）を参照して説明する。本第２実施形態は、上記第１実施形態の構成に加えて、フランジ３Ａの上端面３１Ａに溶接開先６Ａの先端部６２Ａの肉厚ｄに相当する深さの補助溝７を設けたものである。このような構成によっても、上記第１実施形態と同様に溶融池を小さくして仮溶接することが可能であり、従来のような蓋４Ａの浮き上がりを防止することができる。
【００１４】
〔第３実施形態〕
第３実施形態は、さらに上記第２実施形態の改良型であり、図１（ｃ）に示すように、フランジ３Ａの構成は上記第２実施形態と同様であるが、上記テーパ部６４Ａを平坦状の平坦部６５Ｂとしたものである。すなわち、当該第３実施形態における溶接開先６Ｂの先端部６２Ｂは、当該先端部６２Ｂから根本部６３Ｂにかけて寸法Ｌの平坦部６５Ｂが形成されることにより、根本部６３Ｂに対して平坦状に肉薄に形成されている。このような平坦部６５Ｂを設けることによっても、先端部６２Ｂが肉薄になっている分、従来に比べて溶接電流を低く抑えることが可能であり、よって小さな溶融池の形成によって蓋４Ｂをフランジ３Ａに仮溶接することができるので蓋４Ｂの浮き上がりを防止することができる。
【００１５】
また、このような平坦部６５Ｂを設けた場合には、仮溶接部の収縮方向が平坦部６５Ｂの表面方向、この図では水平方向となるために蓋４Ｂの浮き上がりが抑えられる。従来の溶接開先６では、この第３実施形態に比べて垂直方向の収縮が大きかったために蓋４Ｂの浮き上がりが生じ易かった。なお、実験的に確認したところ、平坦部６５Ｂの寸法Ｌを先端部６２Ｂの肉厚ｄに対して４倍以上に設定することが有効である。
【００１６】
なお、上記各実施形態では、各種のフランジ部３，３Ａを備えた容器の開口部２，２Ａに各種の溶接開先６Ａ，６Ｂが設けられた蓋４Ａ，４Ｂを仮溶接する場合について説明したが、本発明は、このようなフランジ部３，３Ａを備えた容器の仮溶接に限定されるものではない。すなわち、本発明は、溶接開先の先端部を根本部よりも肉薄とすることにより極力小さな溶融池で蓋と容器の開口部とを仮溶接して蓋の浮き上がりを防止する点を主旨とするものであり、フランジ部を備えた開口部の容器及びフランジ部を備えない開口部の容器の何れにも適用可能である。
【００１７】
【発明の効果】
以上説明したように、本発明に係わる蓋の溶接方法及び容器の蓋によれば、蓋の周縁に設けられた溶接開先の先端部を根本部よりも肉薄とすることにより、従来に比べて溶接電流を低く抑えることが可能であり、よって従来よりも小さな溶接池で蓋と容器の開口部とを仮溶接することができる。したがって、この溶融池が小さい分だけ溶接開先の収縮が小さくなるので、蓋の仮溶接における蓋の浮き上がりを防止することができる。
【図面の簡単な説明】
【図１】  本発明に係わる要部縦断面図であり、（ａ）は第１実施形態に係わる要部縦断面、（ｂ）は第２実施形態に係わる要部縦断面、（ｃ）は第３実施形態に係わる要部縦断面をそれぞれ示すものである。
【図２】  従来の容器及びその蓋の構成図であり、（ａ）は正面図、（ｂ）は上面図、（ｃ）は要部縦断面図である。
【符号の説明】
Ａ……密閉容器
１……容器本体
２……開口部
３……フランジ部
３１……上端面
４，４Ａ……蓋
５……溝
６，６Ａ，６Ｂ……溶接開先
６１，６１Ａ，６１Ｂ……下端面
６２，６２Ａ，６２Ｂ……先端部
６３Ａ，６３Ｂ……根本部
６４Ａ……テーパ部
６５Ｂ……平坦部
７……補助溝
ｐ1〜ｐ4……仮溶接位置
【図１】
0004568955.tif 000002
【図２】
0004568955.tif 000003